(57)【要約】【課題】複数の情報処理装置と複数の表示装置とを組み合わせ、複数の情報処理装置の全てと切替信号を通信することができない表示装置が含まれている場合でも、複数の表示装置を制御可能な表示システムを提供する。【解決手段】本発明によれば、第１情報処理装置、第２情報処理装置、第１表示装置、第２表示装置を備え、第１表示装置及び第２表示装置は、第１情報処理装置から出力される画像及び第２情報処理装置から出力される画像のいずれかを拡張表示するように構成され、第２情報処理装置は、第１表示装置に表示される画像を切り替える第２切替信号を、第１表示装置に出力可能に構成され、第１情報処理装置は、第２切替信号に応じて、第２表示装置に表示される画像を切り替える第１切替信号を、第２表示装置に出力可能に構成される、表示システムが提供される。【選択図】図１
2019174620.tif 000002
【特許請求の範囲】
【請求項１】
第１情報処理装置、第２情報処理装置、第１表示装置、第２表示装置を備え、
第１表示装置及び第２表示装置は、第１情報処理装置から出力される画像及び第２情報処理装置から出力される画像のいずれかを拡張表示するように構成され、
第２情報処理装置は、第１表示装置に表示される画像を切り替える第２切替信号を、第１表示装置に出力可能に構成され、
第１情報処理装置は、第２切替信号に応じて、第２表示装置に表示される画像を切り替える第１切替信号を、第２表示装置に出力可能に構成される、
表示システム。
【請求項２】
第１情報処理装置は、第１表示装置に表示される画像が切り替わった場合、第２表示装置に対して第１情報処理装置から出力される画像を表示するように、第１切替信号を出力する、
請求項１に記載の表示システム。
【請求項３】
第１表示装置及び第２表示装置は、ビデオ信号通信部を備え、
前記ビデオ信号通信部は、第１情報処理装置及び第２情報処理装置との間でビデオ信号を通信可能に構成され、
第１情報処理装置は、第１表示装置の前記ビデオ信号通信部を介して、第１表示装置に表示される画像が切り替わったことを検出可能に構成される、
請求項１又は請求項２に記載の表示システム。
【請求項４】
第１表示装置及び第２表示装置は、切替信号通信部を備え、
前記切替信号通信部は、少なくとも１つの前記情報処理装置との間で第１切替信号又は第２切替信号を通信可能に構成され、
第１情報処理装置は、第１表示装置の前記切替信号通信部を介して、第１表示装置に表示される画像が切り替わったことを検出可能に構成される、
請求項１又は請求項２に記載の表示システム。
【請求項５】
第１表示装置は、切替信号転送部を備え、
前記切替信号転送部は、第２情報処理装置から入力された第２切替信号を第１情報処理装置に転送可能に構成されるか、又は、第２情報処理装置から第２切替信号が入力されると、第２切替信号が入力されたことを表す信号を第１情報処理装置に出力可能に構成され、
第１情報処理装置は、前記切替信号転送部から出力された信号を受信すると、第１切替信号を第２表示装置に出力する、
請求項４に記載の表示システム。
【請求項６】
操作部を備え、
前記操作部は、第１情報処理装置及び第２情報処理装置のうち、第１表示装置及び第２表示装置へ画像を出力する情報処理装置を操作可能に構成され、
第１情報処理装置は、前記操作部が第１情報処理装置を操作可能な状態に切り替わったことを検出して、第１表示装置に表示される画像が切り替わったことを検出可能に構成される、
請求項１又は請求項２に記載の表示システム。
【請求項７】
第１表示装置及び第２表示装置は、切替信号通信部を備え、
前記切替信号通信部は、少なくとも１つの前記情報処理装置との間で第１切替信号又は第２切替信号を通信可能に構成され、
第１表示装置の前記切替信号通信部は、第１情報処理装置及び第２情報処理装置と通信可能に構成され、
第２表示装置の前記切替信号通信部は、第１情報処理装置と通信可能に構成され、
第１情報処理装置から第２情報処理装置への切替処理である第１切替処理において、第１情報処理装置から第１表示装置及び第２表示装置に対して第３切替信号を出力することにより第１切替処理が実行され、
第２情報処理装置から第１情報処理装置への切替処理である第２切替処理において、第２情報処理装置から第１表示装置に対して第２切替信号を出力し、且つ、第１表示装置が第２情報処理装置から第２切替信号を受信した後、第１情報処理装置から第２表示装置に対して第１切替信号を出力することにより第２切替処理が実行される、
請求項１〜請求項６の何れか１つに記載の表示システム。
【請求項８】
操作部を備え、
前記操作部は、第１情報処理装置及び第２情報処理装置のうち、第１表示装置及び第２表示装置へ画像を出力する情報処理装置を操作可能に構成される、
請求項１〜請求項７の何れか１つに記載の表示システム。
【請求項９】
前記操作部は、第１表示装置に接続される、
請求項８に記載の表示システム。
【請求項１０】
前記操作部は、第１表示装置及び第２表示装置上におけるポインティング位置を指示可能に構成される、
請求項８又は請求項９に記載の表示システム。
【請求項１１】
第１表示装置及び第２表示装置に画像が表示されているときに、第１表示装置及び第２表示装置の配置方向に直行する方向に存在する切替領域にポインティング位置が到達したことを検出する検出部を備え、
前記検出部により前記ポインティング位置が検出された場合、第１切替処理又は第２切替処理が実行される、
請求項１０に記載の表示システム。
【請求項１２】
前記表示切替部は、第１情報処理装置及び第２情報処理装置のうち、いずれの情報処理装置から出力された画像が第１表示装置及び第２表示装置に表示されているかを、第１表示装置及び第２表示装置の少なくとも一方に表示する、
請求項１〜請求項１１の何れか１つに記載の表示システム。
【請求項１３】
第１表示装置又は第２表示装置は、電子カルテを表示可能に構成される、
請求項１〜請求項１２の何れか１つに記載の表示システム。
【請求項１４】
コンピュータを、第１情報処理装置、第２情報処理装置、第１表示装置、第２表示装置を備える表示システムを制御する制御部として機能させるプログラムであって、
第１表示装置及び第２表示装置は、第１情報処理装置から出力される画像及び第２情報処理装置から出力される画像のいずれかを拡張表示するように構成され、
第２情報処理装置は、第１表示装置に表示される画像を切り替える第２切替信号を、第１表示装置に出力可能に構成され、
前記プログラムは、
第１情報処理装置を、第２切替信号に応じて、第２表示装置に表示される画像を切り替える第１切替信号を、第２表示装置に出力させるように制御する、
プログラム。
【発明の詳細な説明】
【技術分野】
【０００１】
本発明は、複数の表示装置と複数の情報処理装置を組み合わせた表示システムに関する。
【背景技術】
【０００２】
複数の情報処理装置を表示装置に接続し、表示装置に画像を表示させる表示システムが知られている。例えば、病院では、複数の情報処理装置を複数の表示装置に接続し、状況に応じて表示装置に表示させる画像を一の情報処理装置から他の情報処理装置に切り替えることが行われている。これは、例えば、一の情報処理装置は病院Ｘのサーバに接続可能に構成され、他の情報処理装置は病院Ｙのサーバに接続される場合に、医師が病院Ｘと病院Ｙのサーバに格納された画像を比較したいときに実行されるものである。
【０００３】
特許文献１には、複数のワークステーションの切り替えで、機械的スイッチやキーボードによる操作に加えて、マウスの操作のみで切り替え可能なワークステーション切替装置が開示されている。
【先行技術文献】
【特許文献】
【０００４】
【特許文献１】特開２００２−１８９５４２号公報
【発明の概要】
【発明が解決しようとする課題】
【０００５】
本発明は、複数の情報処理装置と複数の表示装置とを組み合わせ、複数の情報処理装置の全てと切替信号を通信することができない表示装置が含まれている場合でも、複数の表示装置を制御可能な表示システムを提供するものである。
【課題を解決するための手段】
【０００６】
以下、本発明の種々の実施形態を例示する。以下に示す実施形態は互いに組み合わせ可能である。
【０００７】
本発明によれば、第１情報処理装置、第２情報処理装置、第１表示装置、第２表示装置を備え、第１表示装置及び第２表示装置は、第１情報処理装置から出力される画像及び第２情報処理装置から出力される画像のいずれかを拡張表示するように構成され、第２情報処理装置は、第１表示装置に表示される画像を切り替える第２切替信号を、第１表示装置に出力可能に構成され、第１情報処理装置は、第２切替信号に応じて、第２表示装置に表示される画像を切り替える第１切替信号を、第２表示装置に出力可能に構成される、表示システムが提供される。
【０００８】
本発明によれば、第２情報処理装置は、第１表示装置に表示される画像を切り替える第２切替信号を、第１表示装置に出力可能に構成される。そして、第１情報処理装置は、第２切替信号に応じて、第２表示装置に表示される画像を切り替える第１切替信号を、第２表示装置に出力可能に構成される。これにより、第２表示装置と第２情報処理装置とが切替信号を通信可能でない場合でも、第１情報処理装置が第１信号を第２表示装置に出力することにより、複数の表示装置を制御することができる。
【０００９】
以下、本発明の種々の実施形態を例示する。以下に示す実施形態は互いに組み合わせ可能である。
【００１０】
好ましくは、第１情報処理装置は、第１表示装置に表示される画像が切り替わった場合、第２表示装置に対して第１情報処理装置から出力される画像を表示するように、第１切替信号を出力する。
好ましくは、第１表示装置及び第２表示装置は、ビデオ信号通信部を備え、前記ビデオ信号通信部は、第１情報処理装置及び第２情報処理装置との間でビデオ信号を通信可能に構成され、第１情報処理装置は、第１表示装置の前記ビデオ信号通信部を介して、第１表示装置に表示される画像が切り替わったことを検出可能に構成される。
好ましくは、第１表示装置及び第２表示装置は、切替信号通信部を備え、前記切替信号通信部は、少なくとも１つの前記情報処理装置との間で第１切替信号又は第２切替信号を通信可能に構成され、第１情報処理装置は、第１表示装置の前記切替信号通信部を介して、第１表示装置に表示される画像が切り替わったことを検出可能に構成される。
好ましくは、第１表示装置は、切替信号転送部を備え、前記切替信号転送部は、第２情報処理装置から入力された第２切替信号を第１情報処理装置に転送可能に構成されるか、又は、第２情報処理装置から第２切替信号が入力されると、第２切替信号が入力されたことを表す信号を第１情報処理装置に出力可能に構成され、第１情報処理装置は、前記切替信号転送部から出力された信号を受信すると、第１切替信号を第２表示装置に出力する。
好ましくは、操作部を備え、前記操作部は、第１情報処理装置及び第２情報処理装置のうち、第１表示装置及び第２表示装置へ画像を出力する情報処理装置を操作可能に構成され、第１情報処理装置は、前記操作部が第１情報処理装置を操作可能な状態に切り替わったことを検出して、第１表示装置に表示される画像が切り替わったことを検出可能に構成される。
好ましくは、第１表示装置及び第２表示装置は、切替信号通信部を備え、前記切替信号通信部は、少なくとも１つの前記情報処理装置との間で第１切替信号又は第２切替信号を通信可能に構成され、第１表示装置の前記切替信号通信部は、第１情報処理装置及び第２情報処理装置と通信可能に構成され、第２表示装置の前記切替信号通信部は、第１情報処理装置と通信可能に構成され、第１情報処理装置から第２情報処理装置への切替処理である第１切替処理において、第１情報処理装置から第１表示装置及び第２表示装置に対して第３切替信号を出力することにより第１切替処理が実行され、第２情報処理装置から第１情報処理装置への切替処理である第２切替処理において、第２情報処理装置から第１表示装置に対して第２切替信号を出力し、且つ、第１表示装置が第２情報処理装置から第２切替信号を受信した後、第１情報処理装置から第２表示装置に対して第１切替信号を出力することにより第２切替処理が実行される。
好ましくは、操作部を備え、前記操作部は、第１情報処理装置及び第２情報処理装置のうち、第１表示装置及び第２表示装置へ画像を出力する情報処理装置を操作可能に構成される。
好ましくは、前記操作部は、第１表示装置に接続される。
好ましくは、前記操作部は、第１表示装置及び第２表示装置上におけるポインティング位置を指示可能に構成される。
好ましくは、第１表示装置及び第２表示装置に画像が表示されているときに、第１表示装置及び第２表示装置の配置方向に直行する方向に存在する切替領域にポインティング位置が到達したことを検出する検出部を備え、前記検出部により前記ポインティング位置が検出された場合、第１切替処理又は第２切替処理が実行される。
好ましくは、前記表示切替部は、第１情報処理装置及び第２情報処理装置のうち、いずれの情報処理装置から出力された画像が第１表示装置及び第２表示装置に表示されているかを、第１表示装置及び第２表示装置の少なくとも一方に表示する。
好ましくは、第１表示装置又は第２表示装置は、電子カルテを表示可能に構成される。
他の観点によれば、コンピュータを、第１情報処理装置、第２情報処理装置、第１表示装置、第２表示装置を備える表示システムを制御する制御部として機能させるプログラムであって、第１表示装置及び第２表示装置は、第１情報処理装置から出力される画像及び第２情報処理装置から出力される画像のいずれかを拡張表示するように構成され、第２情報処理装置は、第１表示装置に表示される画像を切り替える第２切替信号を、第１表示装置に出力可能に構成され、前記プログラムは、第１情報処理装置を、第２切替信号に応じて、第２表示装置に表示される画像を切り替える第１切替信号を、第２表示装置に出力させるように制御する、プログラムが提供される。
【図面の簡単な説明】
【００１１】
【図１】本発明の第１実施形態に係る表示システム１０の構成を表す機能ブロック図である。
【図２】第１実施形態に係る表示システム１０の処理を表すフローチャートである。
【図３】第１表示装置１及び第２表示装置２に第１画像が拡張表示されている状態を表す模式図である。
【図４】第１情報処理装置３が第１表示装置１及び第２表示装置２に第３切替信号を出力する様子を表す模式図である。ここで、第３切替信号は、第１表示装置１又は第２表示装置２に表示される画像を第２画像に切り替えるための信号である。
【図５】第１表示装置１及び第２表示装置２に第２画像が拡張表示されている状態を表す模式図である。
【図６】第２情報処理装置４が第１表示装置１に第２切替信号を出力する様子を表す模式図である。ここで、第２切替信号は、第１表示装置１に表示される画像を切り替えるための信号である。
【図７】第１表示装置に第１画像が表示され、第２表示装置に第２画像が表示されている状態を表す模式図である。
【図８】第２切替信号に応じて、第１情報処理装置３が第１切替信号を出力する様子を表す模式図である。ここで、第１切替信号は、第２表示装置に表示される画像を切り替えるための信号である。
【図９】本発明の第２実施形態に係る表示システム１０の構成を表す機能ブロック図である。
【図１０】第２実施形態に係る表示システム１０の第１切替処理を表すフローチャートである。
【図１１】第２実施形態に係る表示システム１０の第２切替処理を表すフローチャートである。
【図１２】第１表示装置１及び第２表示装置２に第１画像が拡張表示されている状態を表す模式図である。
【図１３】第１情報処理装置３が第２表示装置２に第３切替信号を出力する様子を表す模式図である。
【図１４】第１表示装置に第１画像が表示され、第２表示装置に第２画像が表示されている状態を表す模式図である。
【図１５】第３切替信号に応じて、第２情報処理装置４が第２切替信号を出力する様子を表す模式図である。
【図１６】第１表示装置１及び第２表示装置２に第２画像が拡張表示されている状態を表す模式図である。
【図１７】第２情報処理装置４が第１表示装置１に第２切替信号を出力する様子を表す模式図である。
【図１８】第１表示装置に第１画像が表示され、第２表示装置に第２画像が表示されている状態を表す模式図である。
【図１９】第２切替信号に応じて、第１情報処理装置３が第１切替信号を出力する様子を表す模式図である。
【発明を実施するための形態】
【００１２】
以下、図面を用いて本発明の実施形態について説明する。以下に示す実施形態中で示した各種特徴事項は、互いに組み合わせ可能である。
【００１３】
１．第１実施形態
１−１．表示システム１０
本発明の第１実施形態に係る表示システム１０について、図１を用いて説明する。図１に示すように、表示システム１０は、第１情報処理装置３、第２情報処理装置４、第１表示装置１、第２表示装置２を備える。
【００１４】
第１表示装置１及び第２表示装置２は、第１情報処理装置３から出力される画像及び第２情報処理装置４から出力される画像のいずれかを拡張表示するように構成される。第２情報処理装置４は、第１表示装置１に表示される画像を切り替える第２切替信号を、第１表示装置１に出力可能に構成される。また、第１情報処理装置３は、第２切替信号に応じて、第２表示装置２に表示される画像を切り替える第１切替信号を、第２表示装置２に出力可能に構成される。以下、具体的に説明する。
【００１５】
＜第１情報処理装置３＞
第１情報処理装置３は、通信部３１、表示制御部３２、表示切替部３３、検出部３４、画像生成部３５を備える。
【００１６】
通信部３１は、第１表示装置１及び第２表示装置２との間で種々の信号の通信をするものである。画像生成部３５は、種々の画像データを生成するものである。本実施形態では、第１情報処理装置３により生成された画像データが表す画像を第１画像と称し、第２情報処理装置４により生成された画像データが表す画像を第２画像と称する。ここで、画像データは静止画及び動画を表すデータを含む。表示制御部３２は、画像生成部３５により生成された画像を第１表示装置１及び第２表示装置２に拡張表示可能に構成される。表示切替部３３は、第１表示装置１及び第２表示装置２に拡張表示される画像を切り替えるものである。本実施形態では、表示切替部３３により、第１表示装置１及び第２表示装置２に拡張表示される画像を、第１画像から第２画像に切り替えるための切替信号を生成する。検出部３４は、第１表示装置１及び第２表示装置２に画像が拡張表示されているときに、第１表示装置１及び第２表示装置２の配置方向に直行する方向に存在する切替領域ＳＲにポインティング位置ＰＰが到達したことを検出するものである。検出部３４の詳細については後述する。
【００１７】
＜第２情報処理装置４＞
第２情報処理装置４は、通信部４１、表示制御部４２、表示切替部４３、検出部４４、画像生成部４５を備える。通信部４１、表示制御部４２、表示切替部４３、検出部４４、画像生成部４５の機能は、第１情報処理装置３の通信部３１、表示制御部３２、表示切替部３３、検出部３４、画像生成部３５と同様であるため、その説明を省略する。
【００１８】
＜第１表示装置１＞
第１表示装置１は、制御部１１、ビデオ信号通信部１２、切替信号通信部１３、切替信号転送部１４、表示部１５を備える。
【００１９】
制御部１１は、不図示の記憶部に記憶されたプログラムを読み出して種々の演算処理を実行するものであり、例えば、ＣＰＵ等により構成される。ビデオ信号通信部１２は、第１情報処理装置３及び第２情報処理装置４との間でビデオ信号を通信可能に構成される。ここで、ビデオ信号とは、画像を電気信号化したものであり、画像データの通信に利用される。第１実施形態では、ビデオ信号通信部１２は、第１情報処理装置３の通信部３１及び第２情報処理装置４の通信部４１と通信可能に構成される。切替信号通信部１３は、少なくとも１つの情報処理装置との間で種々の切替信号を通信するものである。本実施形態では、切替信号通信部１３は、第１情報処理装置３の通信部３１及び第２情報処理装置４の通信部４１と通信可能に構成される。また、切替信号通信部１３を通して、第１表示装置１と、第１情報処理装置３及び第２情報処理装置４との間で切替信号が送受信される。
【００２０】
なお、ビデオ信号通信部１２及び切替信号通信部１３と通信部３１の接続は、有線又は無線により実現される。
【００２１】
切替信号転送部１４は、第２情報処理装置４から入力された切替信号を第１情報処理装置３に転送するか、又は、第２情報処理装置４から切替信号が入力されると、切替信号が入力されたことを表す信号を第１情報処理装置３に出力可能に構成される。表示部１５は、入力された画像データを画像として表示するものであり、例えば、液晶ディスプレイ、有機ＥＬディスプレイ、タッチパネルディスプレイ、電子ペーパーその他のディスプレイで構成される。
【００２２】
また、第１表示装置１には操作部５が接続される。本実施形態では、操作部５は、第１情報処理装置３及び第２情報処理装置４のうち、第１表示装置１及び第２表示装置２へ画像を出力する情報処理装置を操作可能に構成される。具体的には、第１表示装置１及び第２表示装置２に拡張表示される画像が第１画像であるときには第１情報処理装置３を操作可能に構成され、第１表示装置１及び第２表示装置２に拡張表示される画像が第２画像であるときには第２情報処理装置４を操作可能に構成される。また、操作部５は、第１表示装置１及び第２表示装置２上におけるポインティング位置ＰＰ（図３参照）を指示可能に構成される。
【００２３】
＜第２表示装置２＞
第２表示装置２は、制御部２１、ビデオ信号通信部２２、切替信号通信部２３、表示部２５を備える。制御部２１、ビデオ信号通信部２２、切替信号通信部２３、表示部２５の機能は、制御部１１、ビデオ信号通信部１２、切替信号通信部１３、表示部１５と同様であるため、その説明を省略する。
【００２４】
本実施形態では、第２表示装置２の切替信号通信部２３は、第１情報処理装置３の通信部３１と通信可能に構成されるが、第２情報処理装置４の通信部４１とは通信できないものである。これは例えば、切替信号通信部２３がＵＳＢポートの場合、ＵＳＢポートが１つしかなく、１つの情報処理装置としか接続できない場合を想定している。
【００２５】
上記の各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００２６】
１−２．第１実施形態のフローチャート
次に、図２〜図８を用いて、表示システム１０が実行する処理について説明する。
【００２７】
まず、Ｓ１において、表示システム１０を構成する第１表示装置１及び第２表示装置２は、第１情報処理装置３から出力された画像（第１画像）を拡張表示する。これは、図３の状態に対応する。ここで、本実施形態では、第１表示装置１及び第２表示装置２に画像が拡張表示されているときに、第１表示装置１及び第２表示装置２の配置方向に直行する方向に、切替領域ＳＲが設定される。図３の例では、第１表示装置１及び第２表示装置２の配置方向（横方向）に直行する方向である縦方向に、切替領域ＳＲが設定される。切替領域ＳＲを第１表示装置１及び第２表示装置２の配置方向（横方向）に直行する方向に設定するのは、操作部５により、第１表示装置１及び第２表示装置２上でポインティング位置を移動させる際に、不必要な切替処理を抑制するためである。なお、切替領域ＳＲを設定する位置は特に限定されず、任意の場所に設定することができる。また、切替領域ＳＲは仮想的な領域であり、第１画像上に設定されてもよく、ポインティング位置ＰＰが重なったときに強調表示するように構成してもよい。
【００２８】
次に、図４に示すように、操作部５を操作してポインティング位置ＰＰを切替領域ＳＲ内に移動させると、図２のＳ２において、検出部３４により、切替領域ＳＲ内にポインティング位置ＰＰが存在することが検出される。そして、検出部３４によりポインティング位置ＰＰが検出された場合、第１切替処理の実行が開始される。なお、検出部３４により、切替領域ＳＲ内にポインティング位置ＰＰが存在することが検出されない場合、Ｓ１に戻る。
【００２９】
次に、Ｓ３において、図４に示すように、第１情報処理装置３から第１表示装置１及び第２表示装置２に第３切替信号を送信する。ここで、第３切替信号は、第１表示装置１又は第２表示装置２に拡張表示される画像を第２画像に切り替えるための信号である。具体的には、第３切替信号は、第１表示装置１及び第２表示装置２に対し、第２情報処理装置４の通信部４１との通信を確立するための命令を指示するものである。
【００３０】
そして、Ｓ４において、第１表示装置１及び第２表示装置２が第３切替信号を受信すると、図５に示すように、第１表示装置１及び第２表示装置２は、第２情報処理装置４から出力された第２画像を拡張表示する。
【００３１】
このように、Ｓ３及びＳ４における処理、すなわち、第１表示装置１及び第２表示装置２に拡張表示される画像を、第１情報処理装置３から第２情報処理装置４へ切り替える切替処理が、第１切替処理である。本実施形態では、第１切替処理において、第１情報処理装置３から第１表示装置１及び第２表示装置２に対して第３切替信号を出力することにより、第１切替処理が実行される。
【００３２】
次に、図６に示すように、操作部５を操作してポインティング位置ＰＰを切替領域ＳＲ内に移動させると、図２のＳ５において、検出部４４により、切替領域ＳＲ内にポインティング位置ＰＰが存在することが検出される。そして、検出部４４によりポインティング位置ＰＰが検出された場合、第２切替処理の実行が開始される。なお、検出部４４により、切替領域ＳＲ内にポインティング位置ＰＰが存在することが検出されない場合、Ｓ４に戻る。
【００３３】
次に、Ｓ６において、図６に示されるように、第２情報処理装置４から第１表示装置に第２切替信号を送信する。ここで、第２切替信号は、第１表示装置１に表示される画像を第１画像に切り替えるための信号である。このとき、第２情報処理装置４の通信部４１と第２表示装置２の切替信号通信部２３は接続されていないので、第２情報処理装置４から第２表示装置２に第２切替信号を送信することはできない。これにより、図７に示すように、第１表示装置１に第１画像が表示され、第２表示装置２に第２画像が表示される状態となる。
【００３４】
次に、Ｓ７において、第１情報処理装置３が第１表示装置１の画像の切り替わりを検出する。本実施形態では、第１情報処理装置３は、第１表示装置１のビデオ信号通信部１２を介して、第１表示装置１に表示される画像が切り替わったことを検出する。
【００３５】
次に、Ｓ８において、図８に示すように、第１情報処理装置３から第２表示装置２に第１切替信号を送信する。ここで、第１切替信号は、第２表示装置２に表示される画像を第１画像に切り替えるための信号である。このように、本実施形態では、第１表示装置１に表示される画像が切り替わった場合、第１情報処理装置３は、第２表示装置２に対して第１情報処理装置３から出力される画像（第１画像）を表示するように、第１切替信号を出力する。
【００３６】
ここで、Ｓ７における態様に代えて、第１表示装置１の切替信号通信部１３を用いることにより、第２情報処理装置４から第２信号が出力されたことを第１情報処理装置３が検出するようにしてもよい。具体的には、第１情報処理装置３は、第１表示装置１の切替信号通信部１３を介して、第１表示装置１に表示される画像が切り替わったことを検出可能に構成することができる。例えば、第１表示装置１が第２切替信号を受信すると、第１表示装置１の切替信号通信部１が第１情報処理装置３に対して第２切替信号を受信したことを表す信号を送信する。
【００３７】
また、Ｓ７における態様に代えて、第１表示装置１の切替信号転送部１４を用いることにより、第２情報処理装置４から第２切替信号が出力されたことを第１情報処理装置３が検出するようにしてもよい。具体的には、第１表示装置１の切替信号転送部１４は、第２情報処理装置４から入力された第２切替信号を第１情報処理装置３に転送するか、又は、第２情報処理装置４から第２切替信号が入力されると、第２切替信号が入力されたことを表す信号を第１情報処理装置３に出力する。そして、第１情報処理装置３は、切替信号転送部１４から出力された信号を受信すると、第１切替信号を第２表示装置２に出力するように構成することができる。
【００３８】
さらに、Ｓ７における態様に代えて、操作部５を用いることにより、第２情報処理装置４から第２信号が出力されたことを第１情報処理装置３が検出するようにしてもよい。具体的には、第１情報処理装置３は、操作部５が第１情報処理装置３を操作可能な状態に切り替わったことを検出して、第１表示装置１に表示される画像が切り替わったことを検出可能に構成することができる。
【００３９】
そして、Ｓ９において、第２表示装置２が第１切替信号を受信すると、第２表示装置２は、第１情報処理装置３の画像（第１画像）を表示する。これにより、再び図３に示される状態に戻る。このように、Ｓ６〜Ｓ９における処理、すなわち、第１表示装置１及び第２表示装置２に拡張表示される画像を、第２情報処理装置４から第１情報処理装置３へ切り替える切替処理が、第２切替処理である。本実施形態では、第２情報処理装置４が第１表示装置１に第２切替信号を出力し、且つ、第１表示装置１が第２情報処理装置４から第２切替信号を受信した後、第１情報処理装置３から第２表示装置２に対して第１切替信号を出力することにより第２切替処理が実行される。
【００４０】
ここで、図３〜図８において、表示切替部３３又は表示切替部４３は、第１情報処理装置３及び第２情報処理装置４のうち、いずれの情報処理装置から出力された画像が第１表示装置１及び第２表示装置２に拡張表示されているかを、第１表示装置１及び第２表示装置２の少なくとも一方に表示するようにしてもよい。また、第１表示装置１又は第２表示装置２は、電子カルテを表示可能に構成されてもよい。
【００４１】
以上説明したように、第１実施形態に係る表示システム１０では、第２情報処理装置４は、第１表示装置１に表示される画像を切り替える第２切替信号を、第１表示装置１に出力可能に構成される。そして、第１情報処理装置３は、第２切替信号に応じて、第２表示装置２に表示される画像を切り替える第１切替信号を、第２表示装置２に出力可能に構成される。これにより、第２表示装置２の切替信号通信部２３と第２情報処理装置４の通信部４１とが切替信号を通信可能でない場合でも、複数の表示装置を制御することができる。
【００４２】
２．第２実施形態
以下、図９〜図１９を用いて、本発明の第２実施形態に係る表示システム１０について説明する。図９に示すように、第２実施形態では、第１実施形態と異なり、第１表示装置１及び第２表示装置２はそれぞれ１つの切替信号通信部１３及び切替信号通信部２３を備える。そして、第１表示装置１の切替信号通信部１３は第２情報処理装置４の通信部４１と通信可能に構成され、第２表示装置２の切替信号通信部２３は第１情報処理装置３の通信部３１と通信可能に構成される。
【００４３】
また、第２実施形態に係る表示システム１０では、操作部５が第１情報処理装置３と第２情報処理装置４と通信可能に接続される。本実施形態では、操作部５と第１情報処理装置３及び第２情報処理装置４は、Ｂｌｕｅｔｏｏｔｈ（登録商標）等の無線通信により接続される。そして、第１表示装置１及び第２表示装置２に拡張表示される画像が第１画像である場合には、操作部５は第１情報処理装置３との間でペアリングを確立し、操作部５により第１情報処理装置３を操作可能に構成される。一方、第１表示装置１及び第２表示装置２に拡張表示される画像が第２画像である場合には、操作部５は第２情報処理装置４との間でペアリングを確立し、操作部５により第２情報処理装置４を操作可能に構成される。
【００４４】
２−１．第２実施形態のフローチャート
＜第１切替処理＞
図１０に示すように、まず、Ｓ１において、表示システム１０を構成する第１表示装置１及び第２表示装置２は、第１情報処理装置３から出力された画像（第１画像）を拡張表示する。これは、図１２の状態に対応する。このとき、操作部５は第１情報処理装置３とペアリングを確立しており、操作部５により第１情報処理装置３を操作可能に構成される。
【００４５】
次に、図１３に示すように、操作部５を操作してポインティング位置ＰＰを切替領域ＳＲ内に移動させると、図１０のＳ２において、検出部３４により、切替領域ＳＲ内にポインティング位置ＰＰが存在することが検出される。そして、検出部３４によりポインティング位置ＰＰが検出された場合、第１切替処理の実行が開始される。なお、検出部３４により、切替領域ＳＲ内にポインティング位置ＰＰが存在することが検出されない場合、Ｓ１に戻る。
【００４６】
次に、Ｓ３において、図１３に示すように、第１情報処理装置３から第２表示装置２に第３切替信号を送信する。ここで、第３切替信号は、第２表示装置２に表示される画像を第２画像に切り替えるための信号である。
【００４７】
そして、Ｓ４において、第２表示装置２が第３切替信号を受信すると、図１４に示すように、第２表示装置２は、第２情報処理装置４から出力された第２画像を表示する。
【００４８】
次に、Ｓ５において、操作部５と第１情報処理装置３のペアリングを解除し、操作部５を第２情報処理装置４とペアリングすることで、操作部５により第２情報処理装置４を操作可能な状態に切り替える。
【００４９】
次に、Ｓ６において、第２情報処理装置４が第２表示装置２の画像の切り替わりを検出する。本実施形態では、第２情報処理装置４は、第２表示装置２のビデオ信号通信部２２を介して、第２表示装置２に表示される画像が切り替わったことを検出する。なお、Ｓ６の後にＳ５を実行してもよい。
【００５０】
次に、Ｓ７において、図１５に示すように、第２情報処理装置４から第１表示装置１に第２切替信号を送信する。ここで、第２切替信号は、第１表示装置１に表示される画像を第２画像に切り替えるための信号である。このように、本実施形態では、第２表示装置２に表示される画像が切り替わった場合、第２情報処理装置４は、第１表示装置１に対して第２情報処理装置４から出力される画像（第２画像）を表示するように、切替信号を出力する。
【００５１】
そして、Ｓ８において、第１表示装置１が第２切替信号を受信すると、第１表示装置１は、第２情報処理装置４の画像（第２画像）を表示する。これにより、図１６に示される状態になる。
【００５２】
＜第２切替処理＞
次に、第１表示装置１及び第２表示装置２に表示される画像を、第２画像から第１画像に切り替える第２切替処理について説明する。
【００５３】
図１１に示すように、まず、Ｓ１において、表示システム１０を構成する第１表示装置１及び第２表示装置２は、第２情報処理装置４から出力された画像（第２画像）を拡張表示する。これは、図１６の状態に対応する。このとき、操作部５は第２情報処理装置４とペアリングを確立しており、操作部５により第２情報処理装置４を操作可能に構成される。
【００５４】
次に、図１７に示すように、操作部５を操作してポインティング位置ＰＰを切替領域ＳＲ内に移動させると、図１１のＳ２において、検出部４４により、切替領域ＳＲ内にポインティング位置ＰＰが存在することが検出される。そして、検出部４４によりポインティング位置ＰＰが検出された場合、第２切替処理の実行が開始される。なお、検出部４４により、切替領域ＳＲ内にポインティング位置ＰＰが存在することが検出されない場合、Ｓ１に戻る。
【００５５】
次に、Ｓ３において、図１７に示すように、第２情報処理装置４から第１表示装置１に第２切替信号を送信する。ここで、第２切替信号は、第１表示装置１に表示される画像を第１画像に切り替えるための信号である。
【００５６】
そして、Ｓ４において、第１表示装置１が第２切替信号を受信すると、図１８に示すように、第１表示装置１は、第１情報処理装置３から出力された第１画像を表示する。
【００５７】
次に、Ｓ５において、操作部５と第２情報処理装置４のペアリングを解除し、操作部５を第１情報処理装置３とペアリングすることにより、操作部５により第１情報処理装置３を操作可能な状態に切り替える。
【００５８】
次に、Ｓ６において、第１情報処理装置３が第１表示装置１の画像の切り替わりを検出する。本実施形態では、第１情報処理装置３は、第１表示装置１のビデオ信号通信部１２を介して、第１表示装置１に表示される画像が切り替わったことを検出する。なお、Ｓ６の後にＳ５を実行してもよい。
【００５９】
次に、Ｓ７において、図１９に示すように、第１情報処理装置３から第２表示装置２に第１切替信号を送信する。ここで、第１切替信号は、第２表示装置２に表示される画像を第１画像に切り替えるための信号である。このように、本実施形態では、第１表示装置１に表示される画像が切り替わった場合、第１情報処理装置３は、第２表示装置２に対して第１情報処理装置３から出力される画像（第１画像）を表示するように、第１切替信号を出力する。
【００６０】
そして、Ｓ８において、第２表示装置２が第１切替信号を受信すると、第２表示装置２は、第１情報処理装置３の画像（第１画像）を表示する。これにより、再び図１２に示される状態に戻る。
【００６１】
以上説明したように、第２実施形態に係る表示システム１０は、第１表示装置１及び第２表示装置２の切替信号通信部１３及び切替信号通信部２３がそれぞれ１つのポートしか備えず、第１情報処理装置３又は第２情報処理装置４の一方としか通信可能でない場合であっても、複数の表示装置を制御することができる。
【００６２】
４．その他
以上、種々の実施形態について説明したが、本発明はこれらに限定されない。
【００６３】
例えば、第１情報処理装置３又は第２情報処理装置４の各構成要素は、第１情報処理装置３又は第２情報処理装置４の製造時に予め組み込まれてもよく、第１情報処理装置３又は第２情報処理装置４の出荷後にインターネットを介してダウンロード可能なアプリケーションにより実現してもよい。
【００６４】
また、本発明は、以下の態様でも実現可能である。
コンピュータを、第１情報処理装置、第２情報処理装置、第１表示装置、第２表示装置を備える表示システムを制御する制御部として機能させるプログラムであって、
第１表示装置及び第２表示装置は、第１情報処理装置から出力される画像及び第２情報処理装置から出力される画像のいずれかを拡張表示するように構成され、
第２情報処理装置は、第１表示装置に表示される画像を切り替える第２切替信号を、第１表示装置に出力可能に構成され、
前記プログラムは、
第１情報処理装置を、第２切替信号に応じて、第２表示装置に表示される画像を切り替える第１切替信号を、第２表示装置に出力させるように制御する、
プログラム。
【００６５】
さらに、上述のプログラムを格納する、コンピュータ読み取り可能な非一時的な記録媒体として提供してもよい。
【符号の説明】
【００６６】
１    ：第１表示装置
２    ：第２表示装置
３    ：第１情報処理装置
４    ：第２情報処理装置
５    ：操作部
１０  ：表示システム
１１  ：制御部
１２  ：ビデオ信号通信部
１３  ：切替信号通信部
１４  ：切替信号転送部
１５  ：表示部
２１  ：制御部
２２  ：ビデオ信号通信部
２３  ：切替信号通信部
２５  ：表示部
３１  ：通信部
３２  ：表示制御部
３３  ：表示切替部
３４  ：検出部
３５  ：画像生成部
４１  ：通信部
４２  ：表示制御部
４３  ：表示切替部
４４  ：検出部
４５  ：画像生成部
ＰＰ  ：ポインティング位置
ＳＲ  ：切替領域
【図１】
2019174620.tif 000003
【図２】
2019174620.tif 000004
【図３】
2019174620.tif 000005
【図４】
2019174620.tif 000006
【図５】
2019174620.tif 000007
【図６】
2019174620.tif 000008
【図７】
2019174620.tif 000009
【図８】
2019174620.tif 000010
【図９】
2019174620.tif 000011
【図１０】
2019174620.tif 000012
【図１１】
2019174620.tif 000013
【図１２】
2019174620.tif 000014
【図１３】
2019174620.tif 000015
【図１４】
2019174620.tif 000016
【図１５】
2019174620.tif 000017
【図１６】
2019174620.tif 000018
【図１７】
2019174620.tif 000019
【図１８】
2019174620.tif 000020
【図１９】
2019174620.tif 000021
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
第１情報処理装置、第２情報処理装置、第１表示装置、第２表示装置を備え、
第１表示装置及び第２表示装置は、第１情報処理装置から出力される画像及び第２情報処理装置から出力される画像のいずれかを拡張表示するように構成され、
第２情報処理装置は、第１表示装置に表示される画像を切り替える第２切替信号を、第１表示装置に出力可能に構成され、
第１情報処理装置は、第２切替信号が第２情報処理装置から第１表示装置へ出力されて第１表示装置に表示される画像が切り替わった場合、第２表示装置に表示される画像を切り替える第１切替信号を、第２表示装置に出力可能に構成される、
表示システム。
【請求項２】
第１情報処理装置は、第２切替信号が第２情報処理装置から第１表示装置へ出力されて第１表示装置に表示される画像が切り替わった場合、第２表示装置に対して第１情報処理装置から出力される画像を表示するように、第１切替信号を出力する、
請求項１に記載の表示システム。
【請求項３】
第１表示装置及び第２表示装置は、ビデオ信号通信部を備え、
前記ビデオ信号通信部は、第１情報処理装置及び第２情報処理装置との間でビデオ信号を通信可能に構成され、
第１情報処理装置は、第１表示装置の前記ビデオ信号通信部を介して、第１表示装置に表示される画像が切り替わったことを検出可能に構成される、
請求項２に記載の表示システム。
【請求項４】
第１表示装置及び第２表示装置は、切替信号通信部を備え、
前記切替信号通信部は、少なくとも１つの前記情報処理装置との間で第１切替信号又は第２切替信号を通信可能に構成され、
第１情報処理装置は、第１表示装置の前記切替信号通信部を介して、第１表示装置に表示される画像が切り替わったことを検出可能に構成される、
請求項１又は請求項２に記載の表示システム。
【請求項５】
第１表示装置は、切替信号転送部を備え、
前記切替信号転送部は、第２情報処理装置から入力された第２切替信号を第１情報処理装置に転送可能に構成されるか、又は、第２情報処理装置から第２切替信号が入力されると、第２切替信号が入力されたことを表す信号を第１情報処理装置に出力可能に構成され、
第１情報処理装置は、前記切替信号転送部から出力された信号を受信すると、第１切替信号を第２表示装置に出力する、
請求項４に記載の表示システム。
【請求項６】
操作部を備え、
前記操作部は、第１情報処理装置及び第２情報処理装置のうち、第１表示装置及び第２表示装置へ画像を出力する情報処理装置を操作可能に構成され、
第１情報処理装置は、前記操作部が第１情報処理装置を操作可能な状態に切り替わったことを検出して、第１表示装置に表示される画像が切り替わったことを検出可能に構成される、
請求項１又は請求項２に記載の表示システム。
【請求項７】
第１表示装置及び第２表示装置は、切替信号通信部を備え、
前記切替信号通信部は、少なくとも１つの前記情報処理装置との間で第１切替信号又は第２切替信号を通信可能に構成され、
第１表示装置の前記切替信号通信部は、第１情報処理装置及び第２情報処理装置と通信可能に構成され、
第２表示装置の前記切替信号通信部は、第１情報処理装置と通信可能に構成され、
第１情報処理装置から第２情報処理装置への切替処理である第１切替処理において、第１情報処理装置から第１表示装置及び第２表示装置に対して第３切替信号を出力することにより第１切替処理が実行され、
第２情報処理装置から第１情報処理装置への切替処理である第２切替処理において、第２情報処理装置から第１表示装置に対して第２切替信号を出力し、且つ、第１表示装置が第２情報処理装置から第２切替信号を受信した後、第１情報処理装置から第２表示装置に対して第１切替信号を出力することにより第２切替処理が実行される、
請求項１〜請求項６の何れか１つに記載の表示システム。
【請求項８】
操作部を備え、
前記操作部は、第１情報処理装置及び第２情報処理装置のうち、第１表示装置及び第２表示装置へ画像を出力する情報処理装置を操作可能に構成される、
請求項１〜請求項７の何れか１つに記載の表示システム。
【請求項９】
前記操作部は、第１表示装置に接続される、
請求項８に記載の表示システム。
【請求項１０】
前記操作部は、第１表示装置及び第２表示装置上におけるポインティング位置を指示可能に構成される、
請求項８又は請求項９に記載の表示システム。
【請求項１１】
第１表示装置及び第２表示装置に画像が表示されているときに、第１表示装置及び第２表示装置の配置方向に直行する方向に存在する切替領域にポインティング位置が到達したことを検出する検出部を備え、
前記検出部により前記ポインティング位置が検出された場合、第１切替処理又は第２切替処理が実行される、
請求項１０に記載の表示システム。
【請求項１２】
第１情報処理装置及び第２情報処理装置は、表示切替部を備え、
前記表示切替部は、第１情報処理装置及び第２情報処理装置のうち、いずれの情報処理装置から出力された画像が第１表示装置及び第２表示装置に表示されているかを、第１表示装置及び第２表示装置の少なくとも一方に表示する、
請求項１〜請求項１１の何れか１つに記載の表示システム。
【請求項１３】
第１表示装置又は第２表示装置は、電子カルテを表示可能に構成される、
請求項１〜請求項１２の何れか１つに記載の表示システム。
【請求項１４】
コンピュータを、第１情報処理装置、第２情報処理装置、第１表示装置、第２表示装置を備える表示システムを制御する制御部として機能させるプログラムであって、
第１表示装置及び第２表示装置は、第１情報処理装置から出力される画像及び第２情報処理装置から出力される画像のいずれかを拡張表示するように構成され、
第２情報処理装置は、第１表示装置に表示される画像を切り替える第２切替信号を、第１表示装置に出力可能に構成され、
前記プログラムは、
第１情報処理装置を、第２切替信号が第２情報処理装置から第１表示装置へ出力されて第１表示装置に表示される画像が切り替わった場合、第２表示装置に表示される画像を切り替える第１切替信号を、第２表示装置に出力させるように制御する、
プログラム。
【手続補正２】
【補正対象書類名】明細書
【補正対象項目名】０００７
【補正方法】変更
【補正の内容】
【０００７】
本発明によれば、第１情報処理装置、第２情報処理装置、第１表示装置、第２表示装置を備え、第１表示装置及び第２表示装置は、第１情報処理装置から出力される画像及び第２情報処理装置から出力される画像のいずれかを拡張表示するように構成され、第２情報処理装置は、第１表示装置に表示される画像を切り替える第２切替信号を、第１表示装置に出力可能に構成され、第１情報処理装置は、第２切替信号が第２情報処理装置から第１表示装置へ出力されて第１表示装置に表示される画像が切り替わった場合、第２表示装置に表示される画像を切り替える第１切替信号を、第２表示装置に出力可能に構成される、表示システムが提供される。
【手続補正３】
【補正対象書類名】明細書
【補正対象項目名】００１０
【補正方法】変更
【補正の内容】
【００１０】
好ましくは、第２切替信号が第２情報処理装置から第１表示装置へ出力されて第１表示装置に表示される画像が切り替わった場合、第２表示装置に対して第１情報処理装置から出力される画像を表示するように、第１切替信号を出力する。
好ましくは、第１表示装置及び第２表示装置は、ビデオ信号通信部を備え、前記ビデオ信号通信部は、第１情報処理装置及び第２情報処理装置との間でビデオ信号を通信可能に構成され、第１情報処理装置は、第１表示装置の前記ビデオ信号通信部を介して、第１表示装置に表示される画像が切り替わったことを検出可能に構成される。
好ましくは、第１表示装置及び第２表示装置は、切替信号通信部を備え、前記切替信号通信部は、少なくとも１つの前記情報処理装置との間で第１切替信号又は第２切替信号を通信可能に構成され、第１情報処理装置は、第１表示装置の前記切替信号通信部を介して、第１表示装置に表示される画像が切り替わったことを検出可能に構成される。
好ましくは、第１表示装置は、切替信号転送部を備え、前記切替信号転送部は、第２情報処理装置から入力された第２切替信号を第１情報処理装置に転送可能に構成されるか、又は、第２情報処理装置から第２切替信号が入力されると、第２切替信号が入力されたことを表す信号を第１情報処理装置に出力可能に構成され、第１情報処理装置は、前記切替信号転送部から出力された信号を受信すると、第１切替信号を第２表示装置に出力する。
好ましくは、操作部を備え、前記操作部は、第１情報処理装置及び第２情報処理装置のうち、第１表示装置及び第２表示装置へ画像を出力する情報処理装置を操作可能に構成され、第１情報処理装置は、前記操作部が第１情報処理装置を操作可能な状態に切り替わったことを検出して、第１表示装置に表示される画像が切り替わったことを検出可能に構成される。
好ましくは、第１表示装置及び第２表示装置は、切替信号通信部を備え、前記切替信号通信部は、少なくとも１つの前記情報処理装置との間で第１切替信号又は第２切替信号を通信可能に構成され、第１表示装置の前記切替信号通信部は、第１情報処理装置及び第２情報処理装置と通信可能に構成され、第２表示装置の前記切替信号通信部は、第１情報処理装置と通信可能に構成され、第１情報処理装置から第２情報処理装置への切替処理である第１切替処理において、第１情報処理装置から第１表示装置及び第２表示装置に対して第３切替信号を出力することにより第１切替処理が実行され、第２情報処理装置から第１情報処理装置への切替処理である第２切替処理において、第２情報処理装置から第１表示装置に対して第２切替信号を出力し、且つ、第１表示装置が第２情報処理装置から第２切替信号を受信した後、第１情報処理装置から第２表示装置に対して第１切替信号を出力することにより第２切替処理が実行される。
好ましくは、操作部を備え、前記操作部は、第１情報処理装置及び第２情報処理装置のうち、第１表示装置及び第２表示装置へ画像を出力する情報処理装置を操作可能に構成される。
好ましくは、前記操作部は、第１表示装置に接続される。
好ましくは、前記操作部は、第１表示装置及び第２表示装置上におけるポインティング位置を指示可能に構成される。
好ましくは、第１表示装置及び第２表示装置に画像が表示されているときに、第１表示装置及び第２表示装置の配置方向に直行する方向に存在する切替領域にポインティング位置が到達したことを検出する検出部を備え、前記検出部により前記ポインティング位置が検出された場合、第１切替処理又は第２切替処理が実行される。
好ましくは、第１情報処理装置及び第２情報処理装置は、表示切替部を備え、前記表示切替部は、第１情報処理装置及び第２情報処理装置のうち、いずれの情報処理装置から出力された画像が第１表示装置及び第２表示装置に表示されているかを、第１表示装置及び第２表示装置の少なくとも一方に表示する。
好ましくは、第１表示装置又は第２表示装置は、電子カルテを表示可能に構成される。
他の観点によれば、コンピュータを、第１情報処理装置、第２情報処理装置、第１表示装置、第２表示装置を備える表示システムを制御する制御部として機能させるプログラムであって、第１表示装置及び第２表示装置は、第１情報処理装置から出力される画像及び第２情報処理装置から出力される画像のいずれかを拡張表示するように構成され、第２情報処理装置は、第１表示装置に表示される画像を切り替える第２切替信号を、第１表示装置に出力可能に構成され、前記プログラムは、第１情報処理装置を、第２切替信号が第２情報処理装置から第１表示装置へ出力されて第１表示装置に表示される画像が切り替わった場合、第２表示装置に表示される画像を切り替える第１切替信号を、第２表示装置に出力させるように制御する、プログラムが提供される。